【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
音声認識を行ないつつ音声チャットを行なう複数の情報処理装置と、
前記複数の情報処理装置と通信網を介して接続された検索サーバと、
から構成され、
前記検索サーバは、当該検索サーバにおいて検索が行なわれた検索キーワードを記載した検索キーワードリストを、少なくとも１つの前記情報処理装置に対して開示し、
少なくとも１つの前記情報処理装置は、
前記検索サーバから前記検索キーワードリストを取得して、前記音声認識に利用する単語が記載される認識単語辞書を生成する認識単語辞書生成部と、
前記音声チャットでの会話を音声データとし、前記認識単語辞書を含む認識用データベースを参照して、前記音声データを音声認識する音声認識部と、
他の情報処理装置との間における前記音声データの送受信の制御を行なう音声会話制御部と、
前記音声認識の結果から、前記音声チャットの会話内容に関するキーワードを検出するキーワード検出部と、
を備える、音声チャットシステム。
【請求項２】
検索サーバから当該検索サーバで検索された検索キーワードが記載された検索キーワードリストを取得するとともに、他の情報処理装置との間で音声チャットを行う情報処理装置であって、
前記検索サーバから前記検索キーワードリストを取得して、音声認識に利用する単語が記載される認識単語辞書を生成する認識単語辞書生成部と、
前記音声チャットでの会話を音声データとし、前記認識単語辞書を含む認識用データベースを参照して、前記音声データを音声認識する音声認識部と、
前記他の情報処理装置との間における前記音声データの送受信の制御を行う音声会話制御部と、
前記音声認識の結果から、前記音声チャットの会話内容に関するキーワードを検出するキーワード検出部と、
を備える、情報処理装置。
【請求項３】
前記認識単語辞書は、
所定の単語が予め登録された固定単語辞書と、
登録される単語を随時変更することが可能な可変単語辞書と、
を含み、
前記認識単語辞書生成部は、前記検索サーバにおける上位検索キーワードが記載された前記検索キーワードリストから前記可変単語辞書に登録する単語を選択して、前記可変単語辞書を生成する、請求項２に記載の情報処理装置。
【請求項４】
前記認識単語辞書生成部は、前記キーワード検出部が検出した前記キーワードの履歴情報に基づいて当該情報処理装置のユーザの嗜好を判断し、前記嗜好に基づいて、前記検索キーワードリストから前記単語を選択する、請求項３に記載の情報処理装置。
【請求項５】
前記認識単語辞書生成部は、前記検索キーワードリストから選択された単語について前記検索サーバで検索を行い、前記検索によって得られた検索結果の中から、前記単語に関連するサブキーワードを取得し、
前記サブキーワードを、前記単語に関連付けて前記可変単語辞書に登録する、請求項３に記載の情報処理装置。
【請求項６】
前記認識単語辞書生成部は、前記検索サーバにおける前記単語の検索頻度により決定される検索順位情報に基づいて、前記検索キーワードリストから選択した単語それぞれに対して、重み付けを行う、請求項３に記載の情報処理装置。
【請求項７】
前記認識単語辞書生成部は、前記キーワード検出部が検索した前記キーワードの履歴情報に基づいて前記キーワードの頻度を算出し、前記可変単語辞書に登録されている前記キーワードに対応する単語の重み付けを、前記頻度に基づいて変更する、請求項６に記載の情報処理装置。
【請求項８】
検索サーバから当該検索サーバで検索された検索キーワードが記載された検索キーワードリストを取得し、前記検索キーワードリストの中から単語を選択するとともに、選択した前記単語に対して音声認識に利用される重み付け情報を付加する認識単語辞書生成装置から前記重み付け情報が付加された前記単語を取得し、他の情報処理装置との間で音声チャットを行う情報処理装置であって、
前記音声チャットでの会話を音声データとし、前記認識単語辞書生成装置から取得した前記単語を含む認識用データベースを参照して、前記音声データを音声認識する音声認識部と、
前記他の情報処理装置との間における前記音声データの送受信の制御を行う音声会話制御部と、
前記音声認識の結果から、前記音声チャットの会話内容に関するキーワードを検出するキーワード検出部と、
を備える、情報処理装置。
【請求項９】
検索サーバから当該検索サーバで検索された検索キーワードが記載された検索キーワードリストを取得し、前記検索キーワードリストの中から単語を選択するとともに、選択した前記単語に対して音声認識に利用される重み付け情報を付加する認識単語辞書生成装置から前記重み付け情報が付加された前記単語を取得し、他の情報処理装置との間で音声チャットを行う情報処理装置における音声認識方法であって、
前記認識単語辞書生成装置から前記重み付け情報が付加された単語を取得し、音声認識に用いられる認識用データベースに記憶するステップと、
前記音声チャットの会話内容を音声データとするステップと、
前記音声データを、当該音声データの音響的な特徴に基づいて解析し、前記会話内容に該当する単語列の候補を生成するステップと、
前記認識用データベースを参照しながら、生成した前記単語列の候補を、前記単語列を構成する単語間の言語的な連鎖の特徴に基づいて解析し、最も適した前記単語列を選択するステップと、
を含む、音声認識方法。
【請求項１０】
検索サーバから当該検索サーバで検索された検索キーワードが記載された検索キーワードリストを取得し、前記検索キーワードリストの中から単語を選択するとともに、選択した前記単語に対して音声認識に利用される重み付け情報を付加する認識単語辞書生成装置から前記重み付け情報が付加された前記単語を取得し、他の情報処理装置との間で音声チャットを行う情報処理装置として機能するコンピュータに、
前記音声チャットでの会話を音声データとし、前記認識単語選択装置から取得した前記単語を含む認識用データベースを参照して、前記音声データを音声認識する音声認識機能と、
前記他の情報処理装置との間における前記音声データの送受信の制御を行う音声会話制御機能と、
前記音声認識の結果から、前記音声チャットの会話内容に関するキーワードを検出するキーワード検出機能と、
を実現させるためのプログラム。
【請求項１１】
検索サーバから当該検索サーバで検索された検索キーワードが記載された検索キーワードリストを取得して、言語認識に利用する単語が記載される認識単語辞書を生成する認識単語辞書生成部と、
放送局から送信された放送文字情報を受信する放送文字情報受信部と、
前記認識単語辞書を参照して、前記放送文字情報から所定のキーワードを検出するキーワード検出部と、
外部表示装置との接続制御を行い、前記放送文字情報から検出された前記キーワードを、前記外部表示装置へと出力する外部表示装置接続制御部と、
を備える、情報処理装置。
【請求項１２】
前記放送文字情報受信部は、前記情報処理装置に接続された前記外部表示装置から、当該外部表示装置が受信している放送チャンネルに関する受信チャンネル情報と、前記放送チャンネルに対応する前記放送文字情報と、を取得する、請求項１１に記載の情報処理装置。
【請求項１３】
前記情報処理装置は、前記外部表示装置での前記キーワードの参照履歴を記憶し、
前記外部表示装置接続制御部は、前記外部表示装置で選択されたキーワードを、前記検索サーバに通知する、請求項１１に記載の情報処理装置。
【請求項１４】
検索サーバから当該検索サーバで検索された検索キーワードが記載された検索キーワードリストを取得して、音声認識に利用する単語が記載される認識単語辞書を生成する認識単語辞書生成部と、
放送局から送信された放送音声情報を受信する放送音声情報受信部と、
前記認識単語辞書を含む認識用データベースを参照して、前記放送音声情報を音声認識する音声認識部と、
前記放送音声情報の前記音声認識の結果から、所定のキーワードを検出するキーワード検出部と、
外部表示装置との接続制御を行い、前記放送文字情報から検出された前記キーワードを、前記外部表示装置へと出力する外部表示装置接続制御部と、
を備える、情報処理装置。
【請求項１５】
前記放送音声情報受信部は、前記情報処理装置に接続された前記外部表示装置から、当該外部表示装置が受信している放送チャンネルに関する受信チャンネル情報と、前記放送チャンネルに対応する前記放送音声情報と、を取得する、請求項１４に記載の情報処理装置。
【請求項１６】
前記情報処理装置は、前記外部表示装置での前記キーワードの参照履歴を記憶し、
前記外部表示装置接続制御部は、前記外部表示装置で選択されたキーワードを、前記検索サーバに通知する、請求項１４に記載の情報処理装置。
【請求項１７】
検索サーバから当該検索サーバで検索された検索キーワードが記載された検索キーワードリストを取得して、言語認識に利用する単語が記載される認識単語辞書を生成するステップと、
放送局から送信された放送文字情報を受信するステップと、
前記認識単語辞書を参照して、前記放送文字情報から所定のキーワードを検出するステップと、
外部表示装置との接続制御を行い、前記放送文字情報から検出された前記キーワードを、前記外部表示装置へと出力するステップと、
を含む、キーワード検出方法。
【請求項１８】
検索サーバから当該検索サーバで検索された検索キーワードが記載された検索キーワードリストを取得して、音声認識に利用する単語が記載される認識単語辞書を生成するステップと、
放送局から送信された放送音声情報を受信するステップと、
前記認識単語辞書を含む認識用データベースを参照して、前記放送音声情報を音声認識するステップと、
前記放送音声情報の前記音声認識の結果から、所定のキーワードを検出するステップと、
外部表示装置との接続制御を行い、前記放送文字情報から検出された前記キーワードを、前記外部表示装置へと出力するステップと、
を含む、キーワード検出方法。
【請求項１９】
コンピュータに、
検索サーバから当該検索サーバで検索された検索キーワードが記載された検索キーワードリストを取得して、言語認識に利用する単語が記載される認識単語辞書を生成する認識単語辞書生成機能と、
放送局から送信された放送文字情報を受信する放送文字情報受信機能と、
前記認識単語辞書を参照して、前記放送文字情報から所定のキーワードを検出するキーワード検出機能と、
外部表示装置との接続制御を行い、前記放送文字情報から検出された前記キーワードを、前記外部表示装置へと出力する外部表示装置接続制御機能と、
を実現させるためのプログラム。
【請求項２０】
コンピュータに、
検索サーバから当該検索サーバで検索された検索キーワードが記載された検索キーワードリストを取得して、音声認識に利用する単語が記載される認識単語辞書を生成する認識単語辞書生成機能と、
放送局から送信された放送音声情報を受信する放送音声情報受信機能と、
前記認識単語辞書を含む認識用データベースを参照して、前記放送音声情報を音声認識する音声認識機能と、
前記放送音声情報の前記音声認識の結果から、所定のキーワードを検出するキーワード検出機能と、
外部表示装置との接続制御を行い、前記放送文字情報から検出された前記キーワードを、前記外部表示装置へと出力する外部表示装置接続制御機能と、
を実現させるためのプログラム。